(57)【要約】
【課題】　各種不規則な曲線光源を形成し、しかも製造工程を簡略化し、製造コストを引き下げ、実用性と利便性を向上させることができるLED光源の構造を提供する。
【解決手段】　主に複数の回路板１０、複数の側面投射式LED２０、ベース３０を含む。該各回路板１０の周囲縁には屈折面１１を形成し、該側面投射式LED２０は該回路板１０の周囲に対応し設置され、該側面投射式LED２０は両側の電源端子２１により、該回路板１０上に直接溶接、固定される。該屈折面１１上において対応設置されるリテーナー２３により、該側面投射式LED２０は対応するリテーナー２３内に嵌設される。
【選択図】図３
0003100265.tif 000002
【実用新案登録請求の範囲】
【請求項１】
　回路板、側面投射式LED、ベースを含み、
　該回路板の周囲縁には屈折面を形成し、
　該側面投射式LEDは該回路板の周囲に対応し設置され、
　該ベース上には該回路板を結合し、各種不規則な曲線の光源を形成することを特徴とするLED光源の構造。
【請求項２】
　前記側面投射式は両側の電源端子により、前記回路板上に直接溶接、固定され、安定的な結合を形成することを特徴とする請求項１記載のLED光源の構造。
【請求項３】
　前記回路板の周囲縁の屈折面上にはリテーナーを対応、設置し、前記各側面投射式LEDは対応する該リテーナー内に嵌設され、便利で迅速な結合を達成することを特徴とする請求項１記載のLED光源の構造。
【請求項４】
　前記ベース上には間隔を開け設置する各回路板を設置し、該各回路板の周囲縁には屈折面を形成し、これにより多層、多方向性能の光源を形成することを特徴とする請求項１記載のLED光源の構造。
【請求項５】
　前記各回路板は様々な高さに設置され、各種曲線の不規則な光源を形成することを特徴とする請求項４記載のLED光源の構造。
【考案の詳細な説明】
【技術分野】
【０００１】
　本考案は一種のLED光源の構造に関する。特に一種の各側面投射式LEDは周囲縁に屈折面を形成する回路板周辺に対応設置され、回路板をベース上に設置する設計で、最良の曲面光源効果を具え、製造工程の簡略化と製造コスト低下を達成することができ、ランプ、自動車ランプ、デザインランプ、信号、及び各種照明器具、或いは類似の物品に適用するLED光源の構造に係る。
【背景技術】
【０００２】
　公知のLED光源の構造は回路板上に多数の直立式LEDを設置し(図示なし)光源を提供するものである。
　しかし、この種の構造は局面状の光源を提供することはできず、変化に乏しいという欠点がある。例えば、図１が示すように、自動車のランプに使用する場合には、金型により加工製作する各種規格の鉄板１の回路上に各LED２を溶接し、接点を接続し、さらに、回路(即ち、回路板制御回路)を加えようやく完成となる。
　また該構造は、様々な高さからの光源を提供することはできるが、全体的組立ては煩雑で不便であり、製造は困難である。しかも、自動車ランプのデザインが変わった時には、異なる金型を用い新しい鉄板１を製作する必要があり、コストがかさんでしまう。
【０００３】
　図２が示す別種の公知構造は、数枚の矩形回路板３上にそれぞれ多数の直立式LED４を設置し、該各回路板３をベース５上に設置するものである。
　該構造により光源は各方向から射出されるが、各回路板３上にはそれぞれ設置する各直立式LED４はやはり各回路板３を基準面とするため、外に向って投射される光源は曲面状の光源を提供することはできない。よって、使用者のニーズを満たしているとは言えない。
【特許文献１】特開２００３−１５２２２１号公報
【考案の開示】
【考案が解決しようとする課題】
【０００４】
　上記公知構造の欠点を解決するため、本考案はLED光源の構造の提供を課題とする。
　本考案LED光源の構造は、各側面投射式のLEDを周囲縁に屈折面を形成する回路板周囲に対応設置し、回路板をベース上に設置する設計で、最良の曲面光源効果を具える。
　しかも本考案は製造工程を簡略化し、製造コストを引き下げ、実用性を向上させることができる。
　本考案は回路板の周辺屈折面上に対応設置する各リテーナーにより、各側面投射式のLEDは迅速、簡単、便利に対応するリテーナー内に嵌設され、随意に取り出すことも可能であるため、デザイン変更にも容易に対応可能で、様々な用途の曲面光源に適用することができる。
【課題を解決するための手段】
【０００５】
　上記課題を解決するため、本考案は下記のLED光源の構造を提供する。
　主に複数の回路板、複数の側面投射式LED、ベースを含む。
　該各回路板の周囲縁には屈折面を形成し、該側面投射式LEDは該回路板の周囲に対応し設置され、該側面投射式LEDは両側の電源端子により、該回路板上に直接溶接、固定される。該屈折面上において対応設置されるリテーナーにより、該側面投射式LEDは対応するリテーナー内に嵌設され、便利で迅速な結合を達成する。
　すなわち、本考案のLED光源の構造は、以下に述べる特徴を有する。
１．回路板、側面投射式LED、ベースを含み、
　該回路板の周囲縁には屈折面を形成し、
　該側面投射式LEDは該回路板の周囲に対応し設置され、
　該ベース上には該回路板を結合し、各種不規則な曲線の光源を形成することを特徴とする。
２．前記側面投射式は両側の電源端子により、前記回路板上に直接溶接、固定され、安定的な結合を形成することを特徴とする。
３．前記回路板の周囲縁の屈折面上にはリテーナーを対応、設置し、前記各側面投射式LEDは対応する該リテーナー内に嵌設され、便利で迅速な結合を達成することを特徴とする。
４．前記ベース上には間隔を開け設置する各回路板を設置し、該各回路板の周囲縁には屈折面を形成し、これにより多層、多方向性能の光源を形成することを特徴とする。
５．前記各回路板は様々な高さに設置され、各種曲線の不規則な光源を形成することを特徴とする。
【考案の効果】
【０００６】
　本考案によれば、最良の曲面光源効果を具え、しかも製造工程を簡略化し、製造コストを引き下げ、実用性と利便性を向上させることができる。
【考案を実施するための最良の形態】
【０００７】
　図３、４、５が示すように、本考案LED光源の構造は複数の回路板１０、複数の側面投射式LED２０、ベース３０を含む。
　該各回路板１０の周囲縁には屈折面１１を形成する。
該側面投射式LED２０は該回路板１０の周囲に対応し設置される。該側面投射式LED２０は両側の電源端子２１により、該回路板１０上に直接溶接、固定される。これにより、安定的な結合を形成する。
　該各回路板１０の周囲縁には屈折面１１を形成する。
　散熱の便のため、冷却板２２は後方に向かい延伸する。
　該回路板１０の周囲の屈折面１１上において対応設置されるリテーナー２３により、該側面投射式LED２０は対応するリテーナー２３内に嵌設され、便利で迅速な結合を達成する。
　該ベース３０下方にはケーブル４０を配置する。該ベース３０上には間隔を開け設置する各回路板１０を設置し、該各回路板１０の周囲縁には屈折面１１を形成する。これにより多層、多方向性能の光源を形成する。
【０００８】
　上記構造により、本考案の特徴は該各側面投射式LED２０を周辺に屈折面１１を形成する該各回路板１０の周囲縁において対応設置し、該各回路板１０を該ベース３０上に設置し、該各回路板１０は様々な高さに設置され、多層、多方向、及び各種曲線の不規則な光源を形成することである。
　該回路板１０の周囲の屈折面１１上に対応し設置する各リテーナー２３により、該各側面投射式LED２０は迅速、簡単、便利に対応する該リテーナー２３内に嵌設され、随意に取り出すことも可能であるため、デザイン変更にも容易に対応可能で、様々な用途の曲面光源に適用することができる。
【０００９】
　次に図６が示すように、本考案は環状放射形態により、各曲線状回路板１２をベース３１上に設置し、該各側面投射式LED２０を各曲線状回路板１２の周囲片において対応設置することもできる。
【産業上の利用可能性】
【００１０】
　本考案は最良の曲面光源効果を具え、しかも製造工程を簡略化し、製造コストを引き下げ、実用性と利便性を向上させることができる。
【図面の簡単な説明】
【００１１】
【図１】公知構造の使用指示図である。
【図２】別種の公知構造の使用指示図である。
【図３】本考案第一実施例の平面結合指示図である。
【図４】本考案第一実施例のLEDと回路板の結合断面指示図である。
【図５】本考案第一実施例のLEDと回路板がリテーナーにより結合する様子の断面指示図である。
【図６】本考案第二実施例の使用状態指示図である。
【符号の説明】
【００１２】
　１　鉄板
　２　LED
　３　回路板
　４　LED
　５　ベース
１０　回路板
１１　屈折面
１２　回路板
２０　LED
２１　電源端子
２２　冷却板
２３　リテーナー
３０　ベース
３１　ベース
４０　ケーブル
【図１】
0003100265.tif 000003
【図２】
0003100265.tif 000004
【図３】
0003100265.tif 000005
【図４】
0003100265.tif 000006
【図５】
0003100265.tif 000007
【図６】
0003100265.tif 000008